(57)【要約】【課題】既設外壁を傷めずに、工事が容易で作業性に優れており、既存の壁面の凹凸に影響されずに平坦な壁面に仕上げることができ、施工後に外壁タイルに負荷を掛けることがない外壁タイル支持装置を提供する。【解決手段】外壁構成材５１に取着する壁側タイル支持具１は、前方に突出する固定係止片の両側に位置してクランプ本体２に、上下方向に変位可能にタイル受け片が設けてある。タイル受け片及び固定係止片の夫々にタイル緩衝材を設け、クランプ本体２の表面に弾性材からなるタイル裏面挟持板１０を設けて構成してある。タイル押え具１１は、タイル押え縁の押動係止片を固定係止片に係合させて弾性材からなるタイル前面挟持板を圧接して壁側タイル支持具１との間に外壁タイルＴを挟持する。【選択図】  図２
2009019379.tif 000002
【特許請求の範囲】
【請求項１】
外壁構成材に設ける壁側タイル支持具は、平板状のクランプ本体と、該クランプ本体の表面に突設した固定係止片と、該固定係止片の両側に位置して前記クランプ本体に上下方向に変位可能に設けられ、前方にタイル受け片が突出している一対のロッキングブロックと、該タイル受け片及び固定係止片に夫々設けたタイル緩衝材と、弾性材からなり、前記クランプ本体の表面に取着したタイル裏面挟持板とから構成し、前記壁側タイル支持具に係着するタイル押え具は、前記固定係止片に係合する押動係止片が裏面に突出している平板状のタイル押え縁と、該タイル押え縁の裏面に設けた弾性材からなるタイル前面挟持板とから構成してあることを特徴とする外壁タイル支持装置。
【請求項２】
前方に突出する固定係止片の両側に位置してクランプ本体に上下方向に変位可能にタイル受け片を設け、該タイル受け片及び固定係止片の夫々にタイル緩衝材を設け、前記クランプ本体の表面に弾性材からなるタイル裏面挟持板を設けて構成した壁側タイル支持具を外壁構成材に取着し、前記タイル受け片上に外壁タイルを配設した後、タイル押え縁の押動係止片を前記固定係止片に係合させて弾性材からなるタイル前面挟持板を圧接することによりタイル押え具と前記壁側タイル支持具との間に前記外壁タイルを挟持するようにしてなる外壁タイル支持工法。
【請求項３】
外壁構成材に設ける壁側タイル支持具は、平板状の基板と、該基板の表面
略中央に突設した横向きの固定係止片と、該固定係止片の上下に位置して前記基板に設けたガスケットと、前記固定係止片の上面に配置した軟質材からなるタイル支承片とから構成し、前記壁側タイル支持具に係着するタイル押え具は、平板状のタイル押え縁と、該タイル押え縁の裏面に突設され、前記固定係止片に係合する押動係止片とから構成し、前記タイル押え縁と前記固定係止片との間に弾性介装材を介在させてあることを特徴とする外壁タイル支持装置。
【請求項４】
基板表面の略中央に横向きに突設した固定係止片に軟質材からなるタイル支承片を設け、該固定係止片の上下に位置して前記基板にガスケットを設けてなる壁側タイル支持具を外壁構成材に取着し、前記タイル支承片上に外壁タイルを配設した後、タイル押え縁の押動係止片を前記固定係止片に係合させることにより、タイル押え具と前記壁側タイル支持具との間に前記外壁タイルを挟持するようにしてなる外壁タイル支持工法。
【請求項５】
前記固定係止片とタイル押え縁の裏面との間に弾性介装材を介在させてあることを特徴とする請求項４記載の外壁タイル支持工法。
【発明の詳細な説明】
【技術分野】
【０００１】
本発明は、ビルディングの外壁に外壁タイルを取着するための支持装置に関し、特に既設の外壁に外側から外壁タイルを被装して補修する外壁タイル支持装置及び外壁タイル支持工法に関する。
【背景技術】
【０００２】
ビルディング等の建造物の外壁は直射日光に曝され、気温の変化により膨張と収縮を繰返し、雨が浸透し、更には外壁に浸透した雨や雪の凍結等種々の外乱を受けることから、屋内の壁に比べて傷み易いという問題があることから、種々の外壁補修工法や外壁補修装置が提案されている。例えば、既設の外壁の上に支持レールを設け、裏面に嵌合レールを設けた外壁パネルを支持レールに係着させる工法、既設外壁の上に金網を設け、該金網に外壁タイルを係着する工法などがある。
【０００３】
また、既設のＡＬＣパネル１に穿孔し、この孔２を通して既設のアングル等の下地鋼材３にボルト４を付設し、このボルト４に取付金具５で金属パネル等の被覆材６を直接固定し自立させる被覆合成式ＡＬＣ耐震改修工法が提案されている（特許文献１）。
【特許文献１】特開平１１−９３３７４号公報
【発明の開示】
【発明が解決しようとする課題】
【０００４】
上述した既設外壁や躯体にボルト孔を穿設する工法は躯体を傷めるという問題、施工に手間や時間を要するという問題、外壁タイルに係合部材を設けた場合は、外壁タイルに負荷が掛るために耐久性に劣るという問題がある。
【０００５】
本発明は上述した従来技術の諸欠点に鑑みなされたもので、既設外壁を傷めることがないし、工事が容易であるので作業性に優れており、また接着剤を使用しないので気温の変化による影響を受けることがなく、しかも有害性がないので作業環境にも資するし、既存の壁面の凹凸に影響されることなく平坦な壁面に仕上げることができ、かつ施工後において外壁タイルに負荷を掛けないので安定性、耐久性に優れている外壁タイル支持装置及び外壁タイル支持工法を提供することを目的とする。
【課題を解決するための手段】
【０００６】
上述した課題を解決するために構成された請求項１に係る発明の手段は、外壁構成材に設ける壁側タイル支持具は、平板状のクランプ本体と、該クランプ本体の表面に突設した固定係止片と、該固定係止片の両側に位置して前記クランプ本体に上下方向に変位可能に設けられ、前方にタイル受け片が突出している一対のロッキングブロックと、該タイル受け片及び固定係止片に夫々設けたタイル緩衝材と、弾性材からなり、前記クランプ本体の表面に取着したタイル裏面挟持板とから構成し、前記壁側タイル支持具に係着するタイル押え具は、前記固定係止片に係合する押動係止片が裏面に突出している平板状のタイル押え縁と、該タイル押え縁の裏面に設けた弾性材からなるタイル前面挟持板とからなる。
【０００７】
また、請求項２に係る発明を構成する手段は、前方に突出する固定係止片の両側に位置してクランプ本体に上下方向に変位可能にタイル受け片を設け、該タイル受け片及び固定係止片の夫々にタイル緩衝材を設け、前記クランプ本体の表面に弾性材からなるタイル裏面挟持板を設けて構成した壁側タイル支持具を外壁構成材に取着し、前記タイル受け片上に外壁タイルを配設した後、タイル押え縁の押動係止片を前記固定係止片に係合させて弾性材からなるタイル前面挟持板を圧接することによりタイル押え具と前記壁側タイル支持具との間に前記外壁タイルを挟持するようにした工法からなる。
【０００８】
また、請求項３に係る発明を構成する手段は、外壁構成材に設ける壁側タイル支持具は、平板状の基板と、該基板の表面中央に突設した横向きの固定係止片と、該固定係止片の上下に位置して前記基板に設けたガスケットと、前記固定係止片の上面に配置した軟質材からなるタイル支承片とから構成し、前記壁側タイル支持具に係着するタイル押え具は、平板状のタイル押え縁と、該タイル押え縁の裏面に突設され、前記固定係止片に係合する押動係止片とから構成し、前記タイル押え縁と前記固定係止片との間に弾性介装材を介在させたことにある。
【０００９】
更に、請求項４に係る発明を構成する手段は、基板表面の略中央に横向きに突設した固定係止片に軟質材からなるタイル支承片を設け、該固定係止片の上下に位置して前記基板にガスケットを設けてなる壁側タイル支持具を外壁構成材に取着し、前記タイル支承片上に外壁タイルを配設した後、タイル押え縁の押動係止片を前記固定係止片に係合させることにより、タイル押え具と前記壁側タイル支持具との間に前記外壁タイルを挟持するようにした工法からなる。
【００１０】
そして、請求項４に係る発明において、前記固定係止片とタイル押え縁の裏面との間に弾性介装材を介在させる構成にするとよい。
【発明の効果】
【００１１】
本発明は以上詳述した如く構成したから、下記の諸効果を奏する。
（１）既設外壁や躯体にボルト孔を形成しないので建築物を傷めることがない。壁側タイル支持具にタイル押え具を係合させて外壁タイルを支持するから、工事が簡単で作業性に優れている。
（２）外壁タイルは一切加工を加えないので、リフォームする場合にも再利用が可能である。
（３）外壁タイルの施工には接着剤を使用しないので気温の変化による影響を受けることがなく、しかも有害性がないので作業環境にも資する。
（４）外壁構成材に対する外壁タイル支持具の取付調整を図ることにより、既設壁面の凹凸に影響されることなく平坦な壁面に仕上げることができる。
（５）外壁タイル支持具及びタイル押え具は外壁タイルを下方から支持しているだけで負荷を掛けないから、安定性、耐久性に優れている。
（６）上下動可能なロッキングブロックを有する外壁タイル支持具は耐震性を有するから、地震による外壁タイルのひび割れや落下事故を防止することができる。
【発明を実施するための最良の形態】
【００１２】
以下、本発明の実施の形態を図面に基づき詳述する。図１乃至図７は第１の実施の形態を示す。図において、１は外壁構成材である胴縁５１に設ける壁側タイル支持具を示す。２は該壁側タイル支持具１を構成する四角形の平板状のクランプ本体で、該クランプ本体２は表面２Ａの横幅前端に左右一対の係止片２Ｂ、２Ｂを、裏面２Ｃに当接縦リブ２Ｄ、２Ｄを、また補強リブ２Ｅ、２Ｅを夫々有し、中央上下の位置に小径ビス穴２Ｆ、２Ｆを、左右の位置に４個の大径ビス穴２Ｇ、２Ｇ、・・を穿設したものからなり、アルミニュウム材で押出し成形してある。３は前記クランプ本体２の表面２Ａ中央に前方に向けて突設した板状の固定係止片で、該固定係止片３は一側面に縦方向の凹部３Ａを形成し、該凹部３Ａに位置して上下にビス穴３Ｂ、３Ｂを穿設したものからなっている。
【００１３】
４、４は前記固定係止片３の両側に位置してクランプ本体２の表面２Ａに設けた左右一対のロッキングブロックを示す。該各ロッキングブロック４は、上向きのＵ字状凹部４Ａと下向きの逆Ｕ字状凹部４Ｂを有する略Ｈ状に形成し、中央から前方にタイル受け片４Ｃが棚状に突出したものからなっている。そして、各ロッキングブロック４はＵ字状凹部４Ａと逆Ｕ字状凹部４Ｂの各々に遊嵌したブッシュ５にビス６を挿通してクランプ本体２の裏側でナット７で締着してあり、ロッキングブロック４、４はクランプ本体２に対して上下方向に変位可能になっている。
【００１４】
８、８はセラミック製外壁タイルＴの角隅側面を受ける軟質合成樹脂製のエッジガードを示す。該エッジガード８は略Ｕ字状に形成し、固定係止片３に上下側から嵌装し、ビス８Ａとナット８Ｂにより締着してあり、外壁タイルＴの角隅側面を保護するものである。また、９は外壁タイルＴの角隅側下面を受ける軟質合成樹脂製のタイル緩衝材で、該タイル緩衝材９は角型のＣ字状に形成したものからなり、タイル受け片４Ｃに嵌合してある。
【００１５】
更に、１０はゴム、軟質合成樹脂などの弾性材によりクランプ本体２と同形に形成したタイル裏面挟持板で、該タイル裏面挟持板１０は後面１０Ａにクランプ本体２の係止片２Ｂ、２Ｂに嵌着する嵌合部１０Ｂを突設し、内側にロッキングブロック４が嵌合する中抜き部１０Ｃを形成したものからなっている。
【００１６】
かくして、壁側タイル支持具１は、一対の係止片２Ｂ、２Ｂを有するクランプ本体２に前方に突出する固定係止片３を設け、クランプ本体２に一対のロッキングブロック４、４をブッシュ５を介してビス６とナット７で締着し、固定係止片３にエッジガード８を、タイル受け片４Ｃにタイル緩衝材９を取着し、クランプ本体２の表面２Ａにタイル裏面挟持板１０を係着することにより構成してある。
【００１７】
他方、１１は壁側タイル支持具１に係着することにより外壁タイルＴを支持するタイル押え具を示す。１２は該タイル押え具１１を構成する四角形の平板状に形成したタイル押え縁、１３は該タイル押え縁１２の裏面１２Ａ中央に突設した押動係止片で、該押動係止片１３は四角形の板の先端側１３Ａを先細りにし、一側面の途中に係合段部１３Ｂを形成したものからなっている。１４は弾性材からなる四角形のタイル表面挟持板で、該タイル表面挟持板１４は中央に前記押動係止片１３が嵌入する抜き部１４Ａを形成した略冂状をなしており、タイル押え縁１２の裏面１２Ａに貼着してある。
【００１８】
本実施の形態は上述の構成からなり、複数の壁側タイル支持具１は外壁タイルＴのサイズに見合った位置にビス１５、１５により胴縁５１に挿通して裏側当て板５２に締着して取付ける。なお、既設外壁に凹凸がある場合には、胴縁５１とクランプ本体２との間に適宜の厚さのスペーサを介在させることにより、平坦な外壁に形成することができる。そして、１の壁側タイル支持具１の両側に固定係止片３を挟むようにして２枚の外壁タイルＴ、Ｔの角隅側面を位置させ、角隅下面をロッキングブロック４のタイル受け片４Ｃにタイル緩衝材９を介して載せる。
【００１９】
このようにして、各外壁タイルＴの下側両隅を２個の壁側タイル支持具１、１で支持し、各壁側タイル支持具１にタイル押え具１１を順次押込んで嵌着することにより、図１に示すように外壁タイルＴは壁側タイル支持具１とタイル押え具１１により挟持することにより、簡単に、かつ確実に支持することができる。配設した外壁タイルＴの間は目地Ｍを充填してある。なお、外壁タイルＴの裏面には飛散防止ネットＮが貼着してあり、万一外壁タイルＴがひび割れた場合に破片等が落下するのを防止している。
【００２０】
このようにして配設した各外壁タイルＴは、弾性材からなるタイル裏面挟持板１０及びタイル表面挟持板１４によって両面が支持され、各角隅側は弾性材からなるエッジガード８及びタイル緩衝材９によって支持することにより金属材とは直接接触していないから、地震による振動は吸収されて直接振動を受けることがないので耐震性に優れている。また、直下型地震により大きな上下方向の振動を受けた場合には、ロッキングブロック４が上下動することにより地震の変動に追随して外壁タイルＴを支持するので、外壁タイルＴに上下方向の衝撃が加わって割れたり、ひびが入る事態を防止することができる。
【００２１】
次に、図８及び図９に第２の実施の形態を示す。図において、２１は外壁タイル支持装置を構成する壁側タイル支持具である。２２は該壁側タイル支持具２１を構成する平板状の基板で、該基板２２にはねじ挿通穴２２Ａ、２２Ａ、・・が穿設してあり、固定ねじ２３、２３、・・を胴縁５１に挿通して裏側当て板５２に締着することにより胴縁５１に取着するようになっている。
【００２２】
２４は基板２２の表面２２Ｂ中央に先端２４Ａを前方に突出させて突設した横向きの固定係止片で、該固定係止片２４は上面を平坦な段付き面２４Ｂに形成し、下面２４Ｃには係止凹部２４Ｄを横幅方向に形成したものからなっている。２５、２５は前記基板２２の表面２２Ｂに上下両端側に横向きに突設した一対の係止リブである。
【００２３】
２６、２６は上下一対のガスケットで、該各ガスケット２６は角棒状をなしており、裏面には前記係止リブ２５が嵌入する嵌合溝２６Ａが形成してある。２７は固定係止片２４の段付き面２４Ｂに貼着した緩衝材としてのセッティングブロックで、該セッティングブロック２７は軟質の合成樹脂やゴムによって平板状に形成してある。
【００２４】
他方、２８は前述の構成からなる壁側タイル支持具２１に係着するタイル押え具を示す。２９は該タイル押え具２８を構成するタイル押え縁で、該タイル押え縁２９は例えばアルミニュウ材で平板状に押出し成形したものからなっている。３０はタイル押え縁２９の裏面２９Ａに中央に位置して横方向に突設した押動係止片を示し、該押動係止片３０は上面に係合段部３０Ａが形成してある。
【００２５】
また、３１はゴムなどの弾性材料によって丸棒状に形成した弾性介装材を示す。該弾性介装材３１はタイル押え縁２９と押動係止片３０との角隅に貼着してあり、固定係止片２４と押動係止片３０を係合させ状態の外壁タイル支持具２１とタイル押え具２８との間に反力を付与してより確実に係合させるものである。
【００２６】
本実施の形態に係る外壁タイル支持装置は上述の構成からなり、胴縁５１に取着した壁側タイル支持具２１の固定係止片２４上にタイル支承片２７を介して外壁タイルＴを載置し、タイル押え具２８を押圧して固定係止片２４に押動係止片３０を係合させることにより、簡単な作業で壁側タイル支持具２１とタイル押え具２８との間に外壁タイルＴを支持することができる。外壁タイルＴの設置が終了したら、外壁タイルＴとタイル押え具２８との隙間に硬質パッカーＰを充填し、外周をシール材でシーリングする。
【図面の簡単な説明】
【００２７】
【図１】図１乃至図７は本発明の第１の実施の形態に係り、図１は外壁タイル支持装置によりタイルを支持した状態の説明図である。
【図２】外壁タイル支持装置の使用状態を示す斜視図である。
【図３】壁側タイル支持具の斜視図である。
【図４】壁側タイル支持具の分解斜視図である。
【図５】タイル押え具の分解斜視図である。
【図６】タイル押え具の裏側斜視図である。
【図７】外壁タイル支持装置の使用状態を示す縦断面図である。
【図８】図８及び図９は第２の実施の形態に係り、図８は外壁タイル支持装置の分解斜視図である。
【図９】外壁タイル支持装置の使用状態を示す側面図である。
【符号の説明】
【００２８】
１、２１      壁側タイル支持具
２          クランプ本体
３、２４      固定係止片
４          ロッキングブロック
４Ｃ        タイル受け片
８          エッジガード
９          タイル緩衝材
１０        タイル裏面挟持板
１１、２８    タイル押え具
１２、２９    タイル押え縁
１３、３０    押動係止片
１４        タイル表面挟持板
２２        基板
２６        ガスケット
３１        弾性介装材
５１        胴縁（外壁構成材）
Ｔ          外壁タイル
【図１】
2009019379.tif 000003
【図２】
2009019379.tif 000004
【図３】
2009019379.tif 000005
【図４】
2009019379.tif 000006
【図５】
2009019379.tif 000007
【図６】
2009019379.tif 000008
【図７】
2009019379.tif 000009
【図８】
2009019379.tif 000010
【図９】
2009019379.tif 000011